(57)【要約】【課題】本発明は、頑丈、軽量、実質剛性材料（ＡＢＳプラスチック等）の係合パネル１２、１４、１６、１８により形成されたシャーシ１１を有する無停電電源装置（ＵＰＳ）を提供する。【解決手段】これらのパネルは、コンパクトで、ユーザに親しみやすいシャーシを最小治具および最小数の締付機構を要する簡単な接続技術により形成するために固定して取付けられる。ＵＰＳは、ＡＣ電源からＡＣ電力を受け取る入力、ＡＣ電力を供給する出力、ＤＣ電力を供給するＤＣ電源、エネルギー格納デバイスを有するＤＣ電圧源、ＤＣ電力を受け取り、ＡＣ電力を供給するためにＤＣ電圧源に動作可能に接続されたインバータ、無停電電源装置のための出力電源としてＡＣ電源およびＤＣ電源の１つを選択するために構成かつ配置された切替スイッチ、少なくとも１つのＤＣ電源、インバータ、切り替えスイッチの少なくとも１つを収容するシャーシを含む。【選択図】図２Ａ
2006340598.tif 000002
【特許請求の範囲】
【請求項１】
ＡＣ電力を負荷に供給する無停電電源装置（ＵＰＳ）であって、
該ＵＰＳは、
ＡＣ電源からＡＣ電力を受け取る入力と、
ＡＣ電力を伝達する出力と、
ＤＣ電力を供給するＤＣ電圧源であって、エネルギー格納デバイスを有するＤＣ電圧源と、
ＤＣ電力を受け取り、ＡＣ電力を供給するように該ＤＣ電圧源に動作可能に接続されたインバータと、
該ＡＣ電源および該ＤＣ電圧源のうちの１つを該無停電電源装置のための出力電源として接続するように構成され、かつ、配置された切替スイッチと、
該ＤＣ電圧源と該インバータと該切替スイッチとを少なくとも収容するシャーシと
を備え、
該シャーシは、
第１のパネルであって、該第１のパネルの少なくとも一部が実質的に「Ｌ」型または「Ｅ」型または「Ｕ」型の外観を有する、第１のパネルと、
該第１のパネルに係合するように構成され、かつ、配置された第２のパネルと、
該第１のパネルおよび該第２のパネルを実質的に固定された構成に固定する第１の留め具と、
開いた位置と閉じた位置との間で該第２のパネルにスライド可能に係合されているドアと
を含み、
該ＤＣ電圧源は、該ドアが該閉じた位置にある場合には、該ドアと該シャーシとによって実質的に密閉されており、該ＤＣ電圧源は、該ドアが該開いた位置にある場合には、該シャーシを介してアクセス可能である、ＵＰＳ。
【発明の詳細な説明】
【技術分野】
【０００１】
（発明の分野）
本発明の実施形態は、デバイスのエンクロージャまたはシャーシに関し、特に、デバイスのコンポーネントを受け取るための無停電電源装置（ＵＰＳ）等の電子デバイスに関する。典型的には、エンクロージャ等の内部に含まれたコンポーネントは、プリント回路基板（ＰＣＢ）、変圧器、バッテリ、スイッチ等を含む。このエンクロージャは、固定され機械的に安定な場所においてデバイスコンポーネントを収容かつ保持するために使用される。より詳細には、本発明の実施形態は、簡略化されたアセンブリプロセスを有する軽量で安価なエンクロージャ、そして特に、統合された、軽量、低コスト、および簡単にアセンブルされたパッケージ内に収容されたＵＰＳを提供するための装置、システム、および方法に関する。
【背景技術】
【０００２】
（発明の背景）
無停電電源装置（ＵＰＳ）は、給電するため、そして電力の変動または電力の不在に敏感な電気負荷を保護するために使用された電源のタイプである。このＵＰＳは、負荷と電源（主電源または他の商用電源等）との間に接続され得る。このＵＰＳは、商用ＡＣ電力を使用して、ＤＣバッテリを充電し、ＡＣ電力を負荷に供給する。電力の供給停止の場合、負荷は、ＤＣ／ＡＣインバータを介してＤＣバッテリからＡＣ電力を引き付ける。これは、電力サージまたは電力低下から負荷を分離し、さらに短期間の電力低下の間の電源を供給する。
【０００３】
一般的に、ＵＰＳは、整流器、インバータ、バッテリ充電器、ＤＣバッテリ、および他のコンポーネントを含み、これらの全ては、単一のケースまたはパッケージに収容される。図１は、調整無停電電力を供給するために使用された典型的な従来技術のＵＰＳ１を示す。ＵＰＳ１は、入力フィルタ／サージプロテクタ２、切替スイッチ３、コントローラ４、バッテリ５、バッテリ充電器６、インバータ７、ＤＣ−ＤＣコンバータ８を含む。このＵＰＳはまた、ＡＣ電源に接続するための入力９および負荷に接続するためのコンセント（ｏｕｔｌｅｔ）１０を含む。
【０００４】
ＵＰＳ１は以下のように動作する。フィルタ／サージプロテクタ２は、入力９を介してＡＣ電源から入力ＡＣ電力を受け取り、入力ＡＣ電力をフィルタリングし、フィルタリングされたＡＣ電力を切替スイッチ３およびバッテリ充電器６に供給する。切替スイッチ３は、フィルタ／サージプロテクタ２からＡＣ電力を受け取り、さらにインバータ７からＡＣ電力を受け取る。コントローラ４は、フィルタ／サージプロテクタから利用可能なＡＣ電力が所定の許容差内にあるかどうかを決定し、ＡＣ電力が許容差内にある場合、フィルタ／サージプロテクタからコンセント１０までＡＣ電力を供給するように切替スイッチを制御する。整流器からのＡＣ電力が所定の許容差の範囲内にない場合（これは、「電圧低下（ｂｒｏｗｎ  ｏｕｔ）」、「ハイライン（ｈｉｇｈ  ｌｉｎｅ）」、「停電（ｂｌａｃｋ  ｏｕｔ）」条件、または電力サージのために発生し得る）、コントローラ４は、インバータ７からＡＣ電力を供給するために切替スイッチ３を制御する。ＤＣ−ＤＣコンバータ８は、バッテリ５の出力をインバータ７に適合する電圧に変換する任意のコンポーネントである。使用された特定のインバータ７およびバッテリ５に依存して、インバータ７は、直接的にまたはＤＣ−ＤＣコンバータ８を介してのいずれかでバッテリ５に動作可能に接続され得る。
【０００５】
コンピュータ等の家電製品は、より普及し、より小型化し、より軽量化し、より安価と
なりつつあるために、より小型な、より軽量な、より低コストのＵＰＳシステムの必要性がこれに対応して増加してきている。しかし、ＵＰＳ等の電子機器の設計者は、典型的には、その機器のシャーシまたはハウジングを再設計するのではなく、デバイス内部に含まれたコンポーネントのサイズおよびコストを低減することに関してエネルギーを注いできた。従って、現在利用可能なＵＰＳデバイスは、重量および製造コストの両方を増加させる多くのコネクタおよびファスナを組み立てかつ必要とするためにかなり多くの時間が依然としてかかる。さらに、バッテリおよび変圧器などの部品は、設置するのに重く扱いにくいため、このようなコンポーネントを安全に含ませることが可能な、簡略化された軽量のＵＰＳエンクロージャを設計することは、困難である。
【０００６】
ＵＰＳのための公知のエンクロージャおよびシャーシは、通常、コンポーネントが装着または取り付けられたいくつかの仕切りまたは壁を有する金属フレームを含む。そのフレーム自体は、外部デバイスハウジングに固定され得る。ＵＰＳのために従来技術のシャーシを製造することは、比較的複雑であり、時間を消費する処理である。例えば、金属シャーシを作製することは、しばしば金属シートのスタンピングおよび曲げ加工を必要とする。適切な接続方法（ねじ止め具、溶接、リベット止め具、接着、またはこれらの方法の組み合わせ等）によってこのシートを互いに接続する前に、シートの表面は、例えば亜鉛めっき処理によって処理され得る。コンポーネントは、ねじまたはリベットまたは他の接続技術等のエレメントを固定することによってシャーシに接続される。シートが互いに組み立てられる前に、いくつかのコンポーネントがシートに接続される。
【０００７】
シャーシを形成するために硬質プラスチック部品を使用することもまた公知であるが、それにもかかわらず、公知のプラスチックシャーシ設計は、複雑かつ時間のかかる組み立てプロセスを生じる。なぜなら、締付エレメントは、例えば、超音波溶接、接着、または圧着によってシャーシにさらに取り付けられなければならないためである。さらに、電子デバイス（ＵＰＳ等）のために公知のプラスチックシャーシ設計を使用することがあまり一般的でない。この電子デバイスは、典型的には、変圧器およびバッテリ等の非常に重いコンポーネントを含む。これらの重いコンポーネント（プリント回路基板（ＰＣＢ）等の比較的より軽いコンポーネントでさえも）は、シャーシ内部の好適な位置において安全にコンポーネントを保持するためにブラケットまたはアングルプレート等のさらなる保持部材をしばしば必要とする。この保持部材は、シャーシの重さ、コスト、および複雑さを加える。
【０００８】
従って、ＵＰＳ等の電子機器のためのシャーシを作製することおよびそのコンポーネントをアセンブリ電子機器に組み立てることは、高価で時間がかかり、ねじドライバ、曲げ冶具、リベット冶具、溶接冶具、または接着剤ディスペンサ等の取り付け冶具の使用を要する。金属エンクロージャは、不必要な重量を電子機器に追加するが、公知のプラスチックエンクロージャは、特定の重いコンポーネントを有する電子機器と共に使用される場合、さらなる支持部材を必要とする。
【発明の開示】
【課題を解決するための手段】
【０００９】
（発明の要旨）
本発明の１つの目的は、ＡＢＳプラスチック等の頑丈で、軽量で、実質的に剛性材料のパネルを係合させて使用することによって形成されたＵＰＳを設けることによってＵＰＳデバイス等の電子機器の組み立ておよび製造の上述の困難を軽減することであり、このパネルは、最小数の冶具および最小数の外部ファスナを必要とする簡単な接続技術を用いて小型でユーザに親しみのあるシャーシを形成するために互いに固定して取り付けられる。
【００１０】
１つの一般的な局面では、本発明は、ＡＣ電力を負荷に供給するための無停電電源装置
を提供する。この無停電電源装置は、ＡＣ電源からＡＣ電力を受け取るための入力と、ＡＣ電力を供給するための出力と、ＤＣ電力を供給するためのＤＣ電圧源と、エネルギー格納デバイスを有するＤＣ電圧源と、ＤＣ電力を受け取り、ＡＣ電力を供給するためのＤＣ電圧源に動作可能に接続されたインバータと、無停電電源装置のための出力電源としてＡＣ電源およびＤＣ電圧源の内の１つを選択するように構成および配置された切替スイッチと、少なくともＤＣ電圧源、インバータ、および切替スイッチを収容するためのシャーシとを含む。本発明によるシャーシは、実質的に「Ｌ」型の外観を有する第１のパネルと、第１のパネルに係合するように構成かつ配置された第２のパネルと、第１のパネルおよび第２のパネルを実質的に固定された構成に固定する第１のファスナとを含む。
【００１１】
このシャーシは、プラスチック、半剛性ポリカーボネート（ＰＣ）、アクリロニトリル−ブタジエン−スチレン（ＡＢＳ）、ＡＢＳ／ＰＣ、難燃性ＰＣ、ＡＢＳおよびＡＢＳ／ＰＣ製品、ポリ塩化ビニル（ＰＶＣ）、ポリスチレン、耐衝撃性ポリスチレン（ＨＩＰＳ）、ポリブチレンテレフタレート（ＰＥＴ）、ＰＣ／ＰＥＴ、ポリブチレンテレフタレート（ＰＢＴ）、ＰＣ／ＰＢＴ、ポリエーテルイミド（ＰＥＩ）、アセタールコポリマー（ＰＯＭ）、エンジニアリング熱可塑性樹脂（ＥＴＰ）、ポリアミド、発泡ポリプロピレン（ＥＰＰ）、ポリウレタン、ポリエチレン、および金属等の材料から形成され得る。
【００１２】
一実施形態におけるシャーシはまた、第１のパネルおよび第２のパネルに係合するように構成かつ配置された第３のパネルを含み得、第１のファスナは第３のパネルに結合される。第３のパネルは、第１のファスナを用いて第１のパネルに、および第２のファスナを用いて第２のパネルに取り付けられ得る。
【００１３】
第１のパネルおよび第２のパネルの内の少なくとも１つは、一体化して形成されたラッチをさらに含み得、第３のパネルは、ラッチに回動可能に係合するように構築かつ構成された、一体化して形成されたフックをさらに含み得る。ＵＰＳへの入力は、第３のパネルに一体化して形成されたラインコード開口部と係合するように構築かつ構成されたラインコードアセンブリをさらに含み得る。このラインコードアセンブリは、ラインコード開口部を動作可能に係合する一体化して形成された歪み緩和エレメントをさらに含み得る。さらに、ラインコードアセンブリは、背面のパネルに取り付けられたラインコードアセンブリを保持するためにラインコード開口部をキャッチするように構築および構成された一体化して形成された移動止め具をさらに含み得る。
【００１４】
本発明の別の目的は、たとえあるとしても、少数の固定エレメントおよび簡略化された接続技術を用いて、重いコンポーネント（変圧器等）を含む電子コンポーネントを受けて、ＵＰＳシャーシに取り付けることが可能な一体化して実施された凹部を有するＵＰＳシャーシを提供することであり、これにより、全体のＵＰＳは、最小の治具を用いて製造の単一軸に沿って速やかにかつ容易に組み立てられ得る。
【００１５】
別の一般的な局面では、本発明はＡＣ電力を負荷に供給するための無停電電源装置を提供する。この無停電電源装置は、ＡＣ電源からＡＣ電力を受け取るための入力と、ＡＣ電力を、ＤＣ電力を供給するＤＣ電圧源に供給するための出力と、エネルギー格納デバイスを有するＤＣ電圧源と、ＤＣ電力を受け取り、ＡＣ電力を供給するためのＤＣ電圧源に動作可能に接続されたインバータと、無停電電源装置のための出力電源としてＡＣ電源およびＤＣ電圧源の内の１つを選択するように構成および配置された切替スイッチと、少なくともＤＣ電圧源、インバータ、および切替スイッチを収容するためのシャーシとを含む。本発明によるシャーシは、実質的に「Ｌ」型の外観を有する第１のパネルと、第１のパネルに係合するように構成かつ配置された第２のパネルと、第１のパネルおよび第２のパネルを実質的に固定された構成に固定する第１のファスナとを含み、第１のパネルおよび第２のパネルの内の少なくとも１つは、ＵＰＳの１つ以上のコンポーネントをシャーシに取
り付けるように構築かつ構成された少なくとも１つの一体化された固定エレメントを含む。
【００１６】
第１および第２のパネルの内の少なくとも１つは、プリント回路基板を各パネルに取り付けるように構築および構成されたフック等の一体化されたファスナをさらに含み得る。第１および第２のパネルの内の少なくとも１つは、少なくとも１つのクラッシュリブをさらに含み得、このクラッシュリブは、クラッシュリブ（変圧器等）に隣接して配置されたコンポーネントを実質的に固定した位置で保持するように構築および構成される。
【００１７】
第２のパネルは、一体化して形成された区画をさらに含み得る。この区画は、１つ以上のＵＰＳコンポーネント（エネルギー格納デバイス等）を密閉するように構築かつ構成され得る。このシャーシは、区画への接近を提供する可動接近パネルを含み得る。この可動接近パネルは、１つ以上のコンポーネント（区画内部に含まれたバッテリ等）の設置または除去を可能にするように完全に除去され得る。
【００１８】
本発明の別の目的は、最小数の治具およびファスナを用いて無停電電源装置を構築する方法を提供することである。
【００１９】
本発明の上記および他の目的、局面、特徴、および利点が、添付の図面を検討する場合、本発明の以下の詳細な説明からより明らかになる。
【００２０】
本発明の原理の理解は、以下の説明および添付の図面を参照することによって容易に達成され得る。
【発明を実施するための最良の形態】
【００２１】
（好適な実施形態の詳細な説明）
図２Ａは、本発明の一実施形態によるシャーシ１１の部分拡大正面斜視図である。この実施形態では、シャーシ１１は、ＵＰＳデバイスを含むように使用される。シャーシ１１は、上部および下部対向面、正面および背面対向面、ならびに、左および右対向面を有する実質的に矩形のボックスの一般的な形状である。シャーシ１１は、左パネル１２、右パネル１４、右パネル１４とスライド可能に係合されたバッテリ扉１６、および背面パネル１８を含む。左パネル１２は、左面および右面を形成する単一の一体化要素である。右パネル１４は、右面と、上面と、下面の一部とを形成する単一の一体化要素である。バッテリ扉１６は、下面の残りの部分を形成する単一の一体化要素である一方で、背面パネル１８は背面を形成する。
【００２２】
他の実施形態では、シャーシ１１は、正方形ボックス、台形ボックス等の矩形ボックス以外の形状を有し得、ボックスは、六角形形状、実質的に円筒形ボックス、実質的に円形または半円形ボックス、実質的に長円形ボックス等を有する。当業者は、本発明による任意のこれらの形状を有するボックスが本明細書で説明された原理および利点に従って形成された最小数のパネルから構成され得ることを理解する。
【００２３】
本明細書中でさらに説明されるように、シャーシ１１は、ファスナなしで互いに係合するように、左パネル１２、右パネル１４、バッテリ扉１６、および背面パネル１８を構成および配置することによって互いに保持されるが、一実施形態では、シャーシ１１は、背面パネル１８を右パネル１２に取り付ける第１のねじ（図２Ａでは見えない）および背面パネル１８を左パネル１４に取り付ける第２のねじ（図２Ａでは見えない）をさらに含む。もちろん、溶接、リベット、接着等の他のタイプのファスナ技術がねじの代わりに利用可能である。
【００２４】
シャーシ１１は、本明細書中で説明された一体化コンポーネント要素（すなわち、それぞれ左パネル１２、右パネル１４、および背面パネル１８、ならびにバッテリ扉１６）に形成されることが可能な任意の頑丈な材料から作製される。好適な実施形態では、プラスチック等の軽量、低コスト材料からそれぞれの部分（すなわち、左パネル１２、右パネル１４、バッテリ扉１６、および背面パネル１８）を成形することによって、シャーシ１１は、低コストかつ迅速な態様で製造される。
【００２５】
異なる実施形態では、シャーシ１１は、ＵＰＳ調整および動作要求に従って、ポリカーボネート（ＰＣ）、アクリロニトリル−ブタジエン−スチレン（ＡＢＳ）、ＡＢＳ／ＰＣ、難燃性ＰＣ、ＡＢＳおよびＡＢＳ／ＰＣ製品、ポリ塩化ビニル（ＰＶＣ）、ポリスチレン、耐衝撃性ポリスチレン（ＨＩＰＳ）、ポリブチレンテレフタレート（ＰＥＴ）、ＰＣ／ＰＥＴ、ポリブチレンテレフタレート（ＰＢＴ）、ＰＣ／ＰＢＴ、ポリエーテルイミド（ＰＥＩ）、アセタールコポリマー（ＰＯＭ）、または他の同様なプラスチック材料等の材料から形成され得る。
【００２６】
本明細書中で説明された実施形態が合成の、成形可能な材料から作製されるために、コンポーネントを受取るための全ての凹部が単一の形成ステップによって製造され得るが、本発明の原理によるＵＳＰ設計もまた、効率的に、速やかに、簡単に、低コストで、または他の改善された態様でシャーシの各部分を作製することが可能な他の製造技術によって達成され得ることが理解されるべきである。例えば、シャーシ部品は、固体プラスチック材料等の固体材料からシャーシの各部分をミリング、パンチング、ファイリング、または切断することによって形成され得る。シャーシは、所望された機械的品質を所有する生物学的または金属起源の材料を用いて作製され得ることがさらに理解されるべきである。上述の材料および製造方法の詳細は、プラスチックおよび材料技術の当業者に公知であり、本明細書中で詳細に開示される必要はない。
【００２７】
シャーシの異なる部分（例えば、左パネル１２、右パネル１４、バッテリ扉１６、および背面パネル１８）は、その部品が互いに安全に係合するように構成される限り、他の部分とは異なるタイプの材料から作製され得ることがさらに理解されるべきである。
【００２８】
図２Ａを再度参照すると、左パネル１２がシャーシ１１の正面および左側を形成することが理解され得る。正面および左側をともに一体化することは、シャーシ１１のための全体の部品数を低減させ、ＵＰＳの製造を容易にし、その正面と左面との間のシームを除去することによってシャーシ１１の全体の剛性を改善する。一実施形態では、左パネル１２の正面パネル部分は、プッシュボタンタイプスイッチを用いて利用可能な複数のインジケータ開口部２０およびスイッチ開口部２２を含む。一実施形態では、インジケータ開口部２０およびスイッチ開口部２２は、本明細書でさらに説明されるライトパイプアセンブリ（図８Ａ〜図８Ｂ参照）と係合する。
【００２９】
左パネル１２の上部の最も内側の面上に配置された少なくとも１つのタブ２４は、シャーシ１１の上部左面に沿って右パネル１４に対して左パネル１２を安定化するように、右パネル１４の上面上に一体化して形成されたスロットと係合する（図３Ｂを参照）。一実施形態では、左パネルは、その上部の最も内側面上に一体化して形成された複数の分離上部タブ２４を提供し、このタブは、右パネル上の１つ以上の各チャンネルと係合する。分離上部タブ２４の使用は、シャーシ１１の組み立て中に、左パネル１２を右パネル１４とより安全に係合するように役立ち、各パネル（そのパネルに取り付けられた任意のコンポーネント）が周囲でスライドすることを回避する。スロットに係合されたタブ２４を使用することもまた、座屈することなく、シャーシ１１のこの部分に沿って、滑らかなシームを提供することに役立つ。左パネル１２の上部を右パネル１４に係合させるための他の一体化技術（連動歯、フック、移動止め具等）は、もちろん本発明に従って利用可能である
。あるいは、当業者は、左パネル１２の上部タブ２４が、右パネル１４の一部である代わりに、上部タブ２４が係合するスロットが左パネル１２の上面に配置され得ることを理解する。
【００３０】
ＰＣＢフック２６は、第１のＰＣＢ２８を所定の位置に保持するように左パネル１２の正面および左面に一体化して形成される。ＰＣＢフック２６の幾何学的形状および必要とされたＰＣＢフックの数は、ＰＣＢフック１６が受け取られるように設計される第１のＰＣＢ２８の性質（例えば、厚さおよびサイズ）によって規定される。図２Ａの実施形態では、さらなるＰＣＢフック２６（図３を参照）が、第１のＰＣＢ２８を安全に取り付けるように使用される。
【００３１】
示された左パネル１２は、実質的に「Ｌ」形状の外観を有するが、左パネル１２は、「Ｌ」型以外の形状で形成され得る。例えば、左パネル１２は、背面パネル１８と一体化されて実質的に「Ｕ」型外観を有し得る。左パネル１２が「Ｕ」型構成かつ一体化背面パネル１８を有する場合、左パネル１２および右パネル１４は、単一のファスナー（図示せず）を用いて結合され得る。この左パネル１２は、背面パネル１８とさらに一体化され、左パネル１２の正面と同じ方向で突出している中央パネル（図示せず）をさらに有し、この中央パネルは実質的に「Ｅ」型の外観を有し、この中央パネルは、シャーシ１１内部で区画またはトンネルを形成するのに役立ち得る。他の改変は、当業者に明らかになる。
【００３２】
右パネル１４は、右パネル１４の上部、右、および底部正面エッジを左パネル１２に取り付けるための正面縁３０を含む。正面縁３０の上正面および右正面部は、左パネル１２の内正面に一体化して形成された凹部に適合する。この取付は、本明細書中でより詳細に示される。正面縁３０の下正面部は、左パネル１２の内正面の下部に一体化して形成されたチャンネル（図４を参照）と係合する（図４を参照）。背面縁３２は、右パネル１４の右背面に沿って形成され、背面パネル１８の内側に一体化して形成された凹部に適合する。
【００３３】
背面パネル１８の後方上面に沿って形成された各背面フック３６を係合するように寸法調整された少なくとも１つの背面ラッチが右パネル１４の上部の下側に一体化して形成される（図２Ｂ、３Ａ、および３Ｂを参照）。一実施形態では、右パネル１４は、複数の背面ラッチを有し、各背面ラッチは、各背面フック２６を受け取るように配置される。別の実施形態（図示せず）では、右パネル１４は、背面フック３６が左パネル１２および右パネル１４の両方と係合し得るように、少なくとも１つの背面ラッチを含み、そして左パネル１２は、少なくとも１つの背面ラッチを含む。背面フック３６は、背面フック３６を係合することによって、背面パネル１８が右パネル１４および左パネル１２に取り付けられることを可能にしながら、背面パネル１８をラッチに向かって下方に回動させ、次いで背面パネル１８を背面パネル１８の背面縁３２上でおよび左パネル１２の左背面部（図３Ｂを参照）を閉じるように回動させる。従って、背面パネル１８は、それらのパネルを互いに保持するために左パネル１２および右パネル１４の外部を捕獲し得る。
【００３４】
シャーシ１１内部に含まれた１つ以上のコンポーネントに冷却を提供するために、通気開口部３８は、右パネル１４に一体化して形成され得る。当業者は、通気開口部３８の量および場所がシャーシ内部に含まれたコンポーネントのタイプ、量、および場所によって決定されることを理解する。もちろん、通気開口部３８は、右パネルに形成された通気開口部３８の代わりにまたはそれに加えて、シャーシの他のパネル１つ以上において形成され得る。一般的には、通気開口部３８は、使用中に通気空気を取り込むことが可能なシャーシ１１上のある場所に配置される。
【００３５】
図２Ａの実施形態が、右面および正面を形成する左パネル１２を、上面、ほとんどの下
面、および左面を形成する右パネル１４とともに示すが、もちろん、左面および正面を形成する左パネル１４、右、上部、および下面の一部を形成する右パネル１２を有する「鏡像」構成でシャーシ１１を作製することも可能であることが理解されるべきである。
【００３６】
図２Ａはまた、下側から見た場合のバッテリ扉１６を示す。図２Ａのシャーシでは、バッテリ扉１６は、バックアップバッテリ（図示せず）をユーザに容易に利用しやすいようにするために、シャーシ１１の下部において配置される。バッテリ扉１６は、バッテリ扉１６に一体化して形成されたバッテリタブ４２を介して右パネル１４に形成された開口部と係合し、バッテリ扉１６に一体化して形成されたバッテリロックタブ４０を介して定位置にロックする。バッテリ扉１６が完全に係合され、かつ右パネル１４にロックされる場合、バッテリ扉１６は、シャーシ１１の下面を完成する。図４Ａ〜図４Ｃおよび図９Ａ〜図９Ｃは、バッテリ扉１６の設計およびバッテリの配置に関するより多くの細部を提供する。
【００３７】
２００１年１月３０日に出願され、代理人事件番号１８１３３−０６５を有する関連した同時継続中かつ同一出願人に譲受された出願（この出願の開示は、本明細書中で参考として援用される）は、本発明のシャーシ１１のバッテリ区画を用いて利用可能なバッテリワイヤ接続機構のタイプを説明する。シャーシ１１およびバッテリ扉１６と組み合わせて、この開示されたバッテリワイヤ接続機構は、治具を用いることなく１つ以上のバッテリのユーザによる簡単な設置および１つ以上のバッテリの非常に簡単な交換を可能にする。この同時継続中の出願はまた、本発明に関して利用可能なバッテリのタイプおよび外観をさらに示す。
【００３８】
図２Ｂは、図２Ａのシャーシの部分分解背面斜視図である。右パネル１４に一体化して形成されるのは、バッテリ扉１６のロックタブ４０（図２Ａ）を係合するロックスロット４８とともに、バッテリタブ４２（図２Ａ）を係合する一対のバッテリスロット４６である。一対の背面ラッチ３４は、背面フック３６（図２Ａ）と係合するために右パネル１４の上面の下側に一体化して形成される。左パネル１２の下部内側正面上で見えるのは、右パネル１４の正面縁３０の下部を受け取るための正面チャンネル５０である。使用中にシャーシ１１を支持するために、一対の後方脚部（ｆｅｅｔ）５１が背面パネル１８の下部に一体化して形成される。
【００３９】
左パネル１２および右パネル１４の下部背面の各々は、各パネルに一体化して形成され、各締付エレメント（ねじ等）を受け取るように適応され、各ファスナ開口部５４に挿入され、背面パネル１８に一体化して形成された各々のボア５２を含む。この開示された実施形態では、ちょうど２つのねじが、左パネル１２、右パネル１３、および背面パネル１８を、固定された実質的に剛性のあるシャーシ１１に一緒に保持するために要求される。３つのパネルを一緒に保持するこの態様は、構造的な一体化をシャーシ１１に加え、ちょうど２つのみの締め付けエレメントを要求することによってアセンブリを簡略化する。しかし、背面パネル１８は、他の締付技術（例えば、スナップ、溶接、接着等）を用いて左パネル１２および右パネル１４に取り付けられ得、それにより外部締付エレメントが全く必要とされないことが理解されるべきである。
【００４０】
図２Ｂを再度参照すると、背面パネル１８は、ＵＰＳに動作可能に接続されるシャーシ１１内部に収容されたＵＰＳコンポーネント（図示せず）によってデバイスが保護されることを可能にする少なくとも１つの一体化されたコンセントレセプタクル５５を有する。別の実施形態では、複数の一体化されたコンセントレセプタクル５５が提供され、それにより、いくつかの一体化されたコンセントレセプタクル５５は、バッテリバックアップのために使用され得、いくつかの一体化されたコンセントレセプタクル５５は、サージ保護のために使用され得る。
【００４１】
背面パネル１８は、電話／モデム接続（図７参照）を受け取るように大きさ調整された随意の一体化された電話／モデム開口部５６、データポート（図示せず）を受け取るように大きさ調整された随意に一体化されたデータ開口部５８、サージ保護インジケータを受け取るための一体化されたサージ保護開口部５９、ユーザによって再設定可能な回路遮断器を受け取るように大きさ調整された集積回路遮断器の開口部６０、およびラインコードアセンブリ（図１３〜図１６を参照）を受け取るための一体化されたラインコード開口部６２を含む。一実施形態では、１以上のコンセントレセプタクル５５は、いわゆるＢＬＯＣＫＳＡＦＥ構成（ＢＬＯＣＫＳＡＦＥは、Ｗｅｓｔ  Ｋｉｎｇｓｔｏｎ，ＲＩのＡｍｅｒｉｃａｎ  Ｐｏｗｅｒ  Ｃｏｒｐｏｒａｔｉｏｎの商標である）で配置される。このＢＬＯＣＫＳＡＦＥ構成がコンセントレセプタクルの間隔を開けるため、モバイルフォンを用いて使用された構成等のより大きな充電デバイスに取り付けられたプラグは、他の利用可能なコンセントレセプタクル５５上で妨害することなく所与のコンセントレセプタクル５５に接続され得る。
【００４２】
図２Ｂには示されていないが、背面パネル１８はまた、サイト配線故障インジケータ、機能ラベリング、識別、シグナリングジャック等のような他の特徴に対して一体化して成形された適応を有し得る。背面パネル１８の図示された開口部、ラベル、およびレセプタクルが例示のみによって提供されることが理解されるべきである。当業者は、背面パネル１８についての他の設計は、任意のまたは全ての、あるいは説明された開口部を省略し得、そしてさらに本明細書で説明されていないさらなる一体化の特徴を追加し得るが、当業者の知識の範囲内で十分であることを理解する。さらに、図１７Ａ〜図１７Ｊに関連して説明されたように、背面パネル１８の設計は、世界の特定の地域で使用された特定のタイプのレセプタクルに応じてそのレセプタクルタイプを変えるように変更され得る。なお、図１７Ａ〜図１７Ｊにおける任意の異なる背面パネル設計は、図２Ｂの背面パネル１８とは交換可能であり、左パネル１２または右パネル１４のいずれかへの変更なしで左パネル１２および右パネル１４に直接接続され得る。
【００４３】
図３Ａおよび図３Ｂは、それぞれ図２Ａのシャーシ１１に対して右面および左面から見た場合の、右パネル１４および左パネル１２に対する背面パネル１８のアセンブリを示す部分分解斜視図である。図３Ａおよび図３Ｂは、背面フック３６が背面ラッチ３４に配置され、これに係合される態様をより詳細に示す。さらに、図３Ｂは、１以上の上部タブ２４が係合する上部右スロット６４を示す。
【００４４】
図４Ａは、図２Ａのシャーシ１１に対して下部から見た場合の左パネル１２に対する右パネル１４のアセンブリを示す部分分解斜視図である。図４に示されたように、シャーシ１１の正面において、右パネル１４の正面縁３０は、右パネル１２の正面パネル部分の右エッジに沿って形成された左パネル縁６６の下に係合する。一対の正面脚部６７は、使用中シャーシ１１への支持を提供するために左パネル１２の下部正面に一体化して形成される。さらに、図４Ａは、背面フック３６（図２Ａ）を係合する背面ラッチ３４の場所をより詳細に示す。
【００４５】
右パネル１４の下部正面右面では、左パネル１４に一体化して形成された第１の接合タブ６８が、左パネル１２の下部左端部に一体化して形成された第１の接合スロット７８（図５参照）に係合する。一実施形態では、バッテリ扉（図２Ａ）のロッキングタブ４０（図２Ａ参照）がロッキングスロット４８を係合することを可能にするために間隔を提供するように構成される複数の第１の接合タブ６８が存在する。さらに、左パネル１２は、その下部左端部の背面に沿って一体化して形成された第２の接合タブ７０を有する。第２の接合タブ７０は、右パネル１４の下部左エッジに一体化して形成された第２の接合スロット６４と係合する（図１０を参照）。
【００４６】
第１および第２の接合タブ６８、７０は、これらの接合スロットと共に左パネル１２の下部左端部と右パネル１４の下部左端部との間の密接した安定なシームを形成するのに役立ち、そしてそのユニットの組み立て中およびシャーシ１１の組み立てが終了した後に、パネルの移動および座屈を回避するのに役立つ。左パネル１２上のいくつかの接合タブおよび右パネル１４上のいくつかの接合タブを提供することは、左パネル１２と右パネル１４との間のシームの剛性を増加させる。
【００４７】
右パネル１４のバッテリ区画７４は、右パネル１４に一体化して形成される。バッテリ区画７４の位置は、ユーザのバッテリ区画７４への接近に対して有害であり得る信号およびコンポーネント（高電圧電子コンポーネント、比較的高い表面温度を有し得る変圧器等のコンポーネント）からの十分な距離があるように選択される。バッテリ区画７４のサイズは、設置されるべきバッテリ７１（図４Ｂ〜図４Ｃを参照）のサイズに依存する。バッテリ区画７４の壁は、壁の強度を高めるために少なくとも１つのリブ７６を含み、そしてバッテリ区画７４内部に配置されたバッテリ７１の移動を回避するのに役立つ。
【００４８】
図４Ｂは、シャーシ１１のバッテリ区画７４内部のバッテリ７１の配置を示す斜視図である。バッテリ７１は、本発明のＵＰＳ（およびシャーシ）を用いて利用可能なバッテリ７１のタイプ、サイズ、およびスタイルの代表的な例である。バッテリ７１の強調された部分７１’は、例えば、ユーザによってバッテリ区画７４からバッテリ７１を除去するか、またはバッテリ７１をバッテリ区画７４に設置するために係合されるバッテリ７１の部分を示す。図４Ｃは、バッテリ区画７４内部のバッテリ７１の移動方向を示す別の斜視図である。図４Ｃはまた、バッテリ７１を他のＵＰＳ電子コンポーネント（図１に示されたコンポーネント等）に動作可能に接続するバッテリワイヤ接続７１’’を示す。バッテリ７１およびＵＰＳへのバッテリワイヤ接続の詳細は、代理人事件番号１８１３３−０６５を有し、２００１年１月３０日に出願され、そして以前に参照した「Ｂａｔｔｅｒｙ  Ｗｉｒｅ  Ｌｅａｄ  Ｍａｎａｇｅｍｅｎｔ」と題された同時継続中の出願においてより十分に説明され、この出願の開示を本明細書中で参考として援用する。
【００４９】
図５は、図２Ａのシャーシ１１の背面の斜視図であり、左パネル１２の特徴および左パネル１２に取り付けられたいくつかのコンポーネントを示す。この図では、この左パネル１２はその左側面にあり、その上部左背面の角から見られる図である。左パネル１２の下部左エッジに沿って形成されるのは、第１の接合タブ６８を係合する第１の接合スロット６８である（図４Ａ）。第１のＰＣＢ２８は、左パネル１２に一体化して形成された１以上のＰＣＢフック２６を用いて定位置に保持される。このＰＣＢフック２６は、第１のＰＣＢ２８が正確に配列されることを可能にするテーパ状エッジを有する。さらに、第１のＰＣＢスナップ２７はまた、第１のＰＣＢ２８の反対端を固定するために、左パネル１２に一体化して形成され、ＰＣＢフック２６に対向して配置され得る。
【００５０】
左パネル１２は、左パネル１２の壁に一体化して形成された１以上の左パネル支持部材８０を含む。このような左パネル支持部材８０を提供することは、左パネルに対する強度および剛性を提供し、より薄い壁（従ってより少ないシャーシ材料）を用いて左パネル１２の製造を可能にする。より少ない材料を用いることは、シャーシ１１の全体の重量を低減し、そのコストを低減する。
【００５１】
一体化して形成された左変圧器支持部材８２は、左変圧器エンクロージャ８４を形成し、そのエンクロージャにＵＰＳ変圧器の平坦な表面（図７参照）が満たされる。この左変圧器エンクロージャ８４は、所与のＵＰＳ変圧器の重量および寸法に適応するように大きさ調整され、ＵＰＳの変圧器を定位置に固定して保持するために右パネル１４上の実質的に同様な右変圧器エンクロージャ（図１０参照）と共動する。変圧器を安定して定位置に
保持するために、左変圧器支持部材８２に沿って配置されるのは、１以上の左変圧器支持リブ８３である。示された実施形態では、左変圧器支持リブ８３は、変圧器がより容易に設置されることを可能にするように左変圧器エンクロージャ８４の一端のみに沿って設けられる。
【００５２】
一実施形態では、少なくとも１つの左変圧器支持リブ８３は、左クラッシュリブ８８をさらに含む。本発明による左クラッシュリブ８８の構造および設計は、図６にさらに示され、この図は、図５における「Ａ」と示された領域の拡大図を提供する。左クラッシュリブ８８の１つの機能は、変圧器のサイズと左変圧器エンクロージャ８４のサイズとの間の過剰な許容差を補償することである。左クラッシュリブ８８の別の機能は、使用中変圧器の可聴音（ｒａｔｔｌｉｎｇ）を除去するのに役立つ。これは、「クラッシュ」または圧縮の量が変圧器と変圧器エンクロージャ８４との間の過剰な許容差の量に比例するように、使用中に実際に「クラッシュしている」かまたは圧縮しているクラッシュリブ８８によって達成される。この左クラッシュリブ８８は、多くの態様で実現され得る。例えば、図５に示されたように、左クラッシュリブ８８は、左変圧器支持リブ８３の一部として左パネル１２に一体化して成形される。左クラッシュリブ８８もまた、一体化プラスチックフィンガー、材料のループ、バネ、スペーサ、バンパー、フォームパッド等の許容差ギャップを補償するクラッシュリブ以外の機構を用いて実現され得る。
【００５３】
１以上の左変圧器通気孔８６は、使用中に、左変圧器通気孔が対流冷却を提供するために空気の固有の交差流れ（ｎａｔｕｒａｌ  ｃｒｏｓｓ−ｆｌｏｗ）を提供するように左変圧器エンクロージャ８４に隣接して提供され得る。
【００５４】
成形された左パネル１２の製造中に、左変圧器８４の寸法は、異なってサイズ調整された変圧器に適応するように改変され得る（例えば、変圧器の異なるサイズおよびタイプが、ＵＰＳが世界の異なる地域において適切に働くように要求され得る）。例えば、左パネル１２が射出成形を用いて作製される場合、変圧器エンクロージャ８４は、左パネル１２を作製するために使用された型（図示せず）の特定の部分を交換することよって簡単に改変され得る。当業者は、左変換器エンクロージャ８４の寸法および特性を変更するための他の技術を理解する。
【００５５】
左パネル１２の別の特性は、光パイプ９０である。この光パイプ９０は、スイッチボタン（図５には示されない）を収容し、発光ダイオード（ＬＥＤ）およびスイッチを保持する第２のＰＣＢ（図２Ａ参照）に動作可能に接続される光パイプ保持装置の構造を含む。この光パイプ９０は、ＬＥＤから左パネル１２の正面パネル部分上のインジケータ開口部２０（図２Ａ）に光を向けるための機構を提供する。この光パイプは、ＬＥＤからの光を伝達することが可能な任意のタイプの材料から作製され得る。一実施形態では、光パイプ９０は、透明なポリマー材料（例えば、ポリカーボン樹脂、アクリル樹脂）から作製される。ガラスなどの半透明なポリマー材料を用いて光パイプ９０を構成することも可能である。一実施形態では、光パイプは左パネル１２に熱で積み重ねられる。しかし、光パイプ９０は、インジケータ開口部２０に対して適切な配置で光パイプ９０を保持する当業者に公知の任意の技術（例えば、溶接、接着剤、左パネル１２に形成された一体化チップ等）によって左パネル１２に取り付けられ得る。図８Ａ〜図８Ｄは、光パイプ９０の設計および特徴をより詳細に示す。
【００５６】
図７は、図２Ａのシャーシ１１の左パネル１２およびバッテリ扉１６の背面の別の斜視図である。この図は、左パネル１２に取り付けられた、および／またはこれに隣接するいくつかのコンポーネントと共に左パネル１２の構成をより詳細に示す。以前に説明されたように、１つ以上のＰＣＢフック２６は、第１のＰＣＢ２８を定位置に保持するために左パネル１２の内側に一体化して形成される。典型的には、第１のＰＣＢ２８は、ボード上
に配置された１以上の電子エレメントを含むが、これらのエレメントは、簡略さのための図面では省略されている。
【００５７】
図７はまた、どのようにして複数の光パイプクリップ９４が定位置で第２のＰＣＢ９２を保持するために役立つかを示す、光パイプ９０の第２のＰＣＢ９２を示す。典型的なＵＰＳにおいて使用された変圧器のタイプ等の変圧器９６は、左変圧器エンクロージャ８４内部に部分的に密閉されたものとして示される。一実施形態では、変圧器９６のコアは、ボルト型の構成を除去し、より円滑な設置およびより静かな動作を可能にするように、例えばアルゴン溶接等によって溶接され得る。
【００５８】
本発明を用いて利用可能な締付エレメントの１つのみのタイプであるねじ９８はまた、右パネル１４上のボア５４に設置された場合に存在する（左パネル１２上のボアもまた示される）各位置で示される。
【００５９】
電話ジャック１０２に接続された電話サージＰＣＢ１００は、左パネル１２に隣接し、背面パネル１８（図示せず）によって定位置に通常保持される。図１２に示されるように、この電話サージＰＣＢ１００はＵＰＳの一部であり得、背面パネル１８にはめ込まれ得る。
【００６０】
図８Ａ、図８Ｂ、図８Ｃ、および図８Ｄは、それぞれ、図５の光パイプ９０の拡大正面斜視図、側面図、背面斜視図、および背面図である。図８Ａ〜図８Ｄを参照すると、少なくとも１つの光伝達部材１０４が、光パイプ９０を用いて一体化して形成され、第２のＰＣＢ９２（図７）上のＬＥＤからの光が左パネル１２の正面に伝達されることを可能にするように提供されることにより、ユーザがインジケータを見ることができるように提供される。示されたように光伝達部材１０４は、角度が付けられ、第２のＰＣＢ９２上のＬＥＤによって発光された光が左パネル１２の正面パネル部分への伝達を支持し得る。光パイプクリップ９４は、その光パイプを用いて第２のＰＣＢ９２を定位置で保持するように一体化して形成される。少なくとも１つの取付開口部１０６は、光パイプ９０がスポット溶接等によって左パネル１２に取り付けられ得るように設けられる。
【００６１】
各光伝達部材１０４は、光パイプ９０に一体化して形成された少なくとも１つの各シェードタブ（ｓｈａｄｅ  ｔａｂ）１０８に関連付けられる。このシェードタブ１０８は、光伝達部材１０４が第２のＰＣＢ９２上の各ＬＥＤに関連付けられた光を伝達するのみであり、光伝達部材１０４が実際に異なるインジケータのＬＥＤに関連付けられた光（従って、照射されているように見える）の伝達を妨げるために支持することを確実にするように支持する。
【００６２】
光パイプ９０はまた、第２のＰＣＢ９２上の各開口部または切り欠きに係合する鍵１１０を含む（図７もまた参照）。この鍵１１０は、光パイプ９０が、第２のＰＣＢ９２と適切に係合し、それにより、各光伝達部材１０４は、第２のＰＣＢ９２条の各ＬＥＤに適切に配列されるのに役立つ。
【００６３】
図９Ａ〜図９Ｃは、図２Ａ〜図２Ｂのシャーシに対して、バッテリ扉の開閉およびバッテリ扉構造の背面斜視図である。図９Ａは、バッテリ７１を設置し、次いで、バッテリ区画７４の上方にあるバッテリ扉１６を閉じるために、シャーシ１１の左面（この左面は図９Ａでは見えない）に向かってバッテリ扉１６をスライドさせるための移動方向を示す。図９Ｂは、設置された位置におけるバッテリ７１を示し、バッテリ扉１６がそのバッテリを取り除くために移動され、その設置されたバッテリ７１に接近し得る（または他の場合にはバッテリ区画７４に接近し得る）移動方向を示すシャーシ１１の斜視図である。
【００６４】
図９Ｃは、図２Ａのシャーシ１１のバッテリ扉の拡大された背面斜視図を示す。このバッテリ扉１６は、ＵＰＳバッテリ７１の重量および寸法を支持するために大きさ調整され（図９Ａ〜図９Ｂ）、この扉に含まれたコンポーネントによってシャーシ１１上に課された高さおよび幅の制限を満たすように配置される。このバッテリ扉１６は、バッテリ扉１６に一体化して形成され、かつバッテリワイヤ７１’’（図４Ｃおよび図９Ａ〜図９Ｂを参照）の直径よりも小さい幅を有する１以上のバッテリチャンネル１１４を規定するように大きさ調整された複数の扉リブ１１２を含む。扉リブ１１２のサイズ調整は、バッテリ扉が移動される場合、ＵＰＳバッテリワイヤ７１’’がバッテリ扉１６上で捕捉またはもつれることを回避するのに役立つ。このバッテリ扉１６はまた、バッテリ扉１６に強度および剛性を提供する、複数の一体化して形成されたバッテリリブ１１６を含み、そのバッテリに取り付けられたラベル（図示せず）を用いて配置するようにバッテリ扉１６上に配置された複数のランプリブ１１８を随意に含み得る。このランプリブ１１８は、バッテリ扉１６がそのバッテリラベルを捕捉または傷つけることを回避するのに役立つ。
【００６５】
図１０は、上方から見た場合の、図２Ａのシャーシ１１の右パネル１４の右正面斜視図である。右パネル１４は、左パネル１２に関して説明されたのと実質的に同様であるＵＰＳ変圧器のための取付構造を提供し、右パネル１４は、右パネル１４の壁に一体化して形成された右パネル支持部材１２０と、ＵＰＳ変圧器の平坦な表面（図７を参照）が適合される右変圧器エンクロージャ１２４を形成する、一体化して形成された右変圧器支持部材１２２と、１以上の右変圧器支持リブ１２８と、少なくとも１つの右クラッシュリブ１２９と、１以上の右変圧器通気孔１２６とを含む。これらの特徴は、左パネル１２に関する「鏡像」特徴と実質的に同じであり、その説明および特徴は、ここでは繰り返さない。
【００６６】
図１１は、下方から見た場合の、図２Ａのシャーシの右パネル１４の右正面斜視図である。この図は、右パネル１４の上部背面の内側に一体化して形成される正の止め具１３０を示す。この正の止め具１３０は、ＰＣＢが過剰に遠くに内部に押し出されることを回避するために、組み立て中に、電話サージＰＣＢ１００（図７参照）等のＰＣＢを接触させるために設けられる。この正の止め具１３０はまた、背面パネル１８に取り付けられた電話サージＰＣＢ１００の振動および／または移動を回避するために役立ち得る。図１２は、正の止め具１３０と接触する電話サージＰＣＢ１００の拡大図である。
【００６７】
図１３は、いくつかのコンポーネントが設置されたことを示す図２Ａのシャーシの背面パネル１８の背面図であり、図１４は、設置されたコンポーネントがない同じ図である。図１３では、複数のバスバー１３２が設置され、ラインコードアセンブリ１３６もまた設置される。図１３および図１４を参照すると、バスバー１３２は、バスバー１３２をバスバー支持部材１３６にはめ込むことによって定位置に保持され、一実施形態では、このバス支持部材１３６は、背面パネル１８に形成された一体化レセプタクル５５の一部として背面パネル１８と一体化して形成される。一実施形態では、バスバー１３２は、さらなるファスナまたは保持装置なしではめ込まれ、そして保持され得るように、一体化されたレセプタクル５５が構成かつ配置される。
【００６８】
さらに、一実施形態では、バスバー１３２は、２つのみの異なるタイプの別個のバスバー部品が全ての６つのコンセントを形成し、製造コストを低減し、アセンブリを簡略化すするために必要とされるように配置される。特に、接地コネクタ１３５を有するバスバー１３２は、２つの位置（図１４では、それぞれ左面および右面上の最外部バスバーの位置）で使用され、ラインニュートラルコネクタ１３７を有するバスバー１３２は、図１３に示されるように、残りの４つのバスバー位置で互いに対向するように配置される。この実施形態は、例えば、米国において使用され得る。
【００６９】
背面パネル１８に対するバスバー１３２の図示された構成は、もちろん、ＵＰＳが電気
レセプタクルおよび／または電圧の代替のタイプを有する国または地域において製造または使用された場合、変更され得る（図１７Ａ〜図１７Ｊを参照）。これらの例では、背面パネル１８は、図１３および図１４に示されたように背面パネルに一体化して形成されたレセプタクル５５を有し得るが、バスバー１３２と共に、使用されたプラグのタイプと係合するように構成かつ配置される。
【００７０】
図１５は、背面から見た図２Ａのシャーシ１１の背面パネル１８の左斜視図であり、設置されたワイヤ、バスバー１３２、ラインコードアセンブリ１３６を示す。図１６は、ラインコードアセンブリ１３６の左側面図である。図１５および図１６の両方を参照すると、ラインコードアセンブリ１３６は、そのラインコードアセンブリ１３６がシャーシ１１の組み立て中および使用中に引張力に耐えることを可能にするために、ラインコードアセンブリ１３６の一部として一体化して成形されたひずみ除去部１３８を含むことが理解され得る。このひずみ除去部１３８は、背面パネル１８に一体化して形成されたラインコード開口部６２の一部を係合し、その開口部の一部は、ひずみ除去部１３８の輪郭と係合する。さらに、ラインコードアセンブリ１３６は、ひずみ除去部１３８と共にラインコードアセンブリ１３６が、左パネル１２および右パネル１４への背面パネル１８の組み立ての前に背面パネル１８に組み立てられたままであることを可能にするために、ラインコード開口部６２（図２）上で捕捉するように設計された移動止め具１４０を含む。
【００７１】
当業者が理解するように、本発明のシャーシ１１は、大きさおよび重量を変化させるコンポーネントを有するＵＰＳと共に作用するように適応され得る。このシャーシ１１およびそれに関連したＵＰＳもまた、内部コンポーネント（必要ならば）を交換することによって、および背面パネル１８（必要ならばそのバスバー１３２を含む）を単に変更することによって世界中の異なるラインパワーシステムと共に作動するように適応され得る。
【００７２】
図１７Ａ〜図１７Ｊは、本発明を用いて使用可能なこのような代替の背面パネルの例である。図１７Ａおよび図１７Ｂは、それぞれ、米国などの場所で使用可能なレセプタクル５５を有する背面パネル１８の斜視図および正面図である。図１７Ｃおよび図１７Ｄは、それぞれ、いわゆる「国際（ｉｎｔｅｒｎａｔｉｏｎａｌ）」レセプタクル５５’を有する背面パネル１８’の斜視図および正面図である。図１７Ｅおよび図１７Ｆは、それぞれ、フランス等の地域で使用可能なレセプタクル５５’’を有する背面パネル１８’’の斜視図および正面図である。図１７Ｇおよび図１７Ｈは、それぞれ、ドイツ等の地域で使用可能なレセプタクル５５’’’を有する背面パネル１８’’’の斜視図および正面図である。図１７Ｉおよび図１７Ｊは、それぞれ、中国等の地域で使用可能なレセプタクル５５’’’’を有する背面パネル１８’’’’の斜視図および正面図である。当業者は、もちろん、図１７Ａ〜図１７Ｊに示された背面パネルの種々のスタイルは、特定の電圧および特定の地域のレセプタクルの必要性を満たすように実現され得る背面パネルの異なるスタイルを表しているに過ぎないことを理解する。背面パネル１８の多くの他の設計が、本発明に従って可能である。
【００７３】
本発明は、ＵＰＳのためのシャーシを提供することに限定されないが、実質的に任意のタイプの電子機器に軽量で、安価で、頑丈なシャーシを提供するためにも使用され得ることが理解されるべきである。
【００７４】
従って、本発明の少なくとも１つの例示的実施形態が説明されてきたが、種々の変更、改変、および改良が当業者に容易に想起される。このような変更、改変、および改良は、本発明の範囲および精神内に存在することが意図される。従って、上記説明は例示のみによるものであり、限定するものとして意図されない。
【図面の簡単な説明】
【００７５】
【図１】図１は、典型的な無停電電源装置のブロック図である。
【図２Ａ】図２Ａは、本発明の実施形態によるＵＰＳシャーシの部分分解正面斜視図である。
【図２Ｂ】図２Ｂは、本発明の実施形態によるＵＰＳシャーシの部分分解背面斜視図である。
【図３Ａ】図３Ａは、図２Ａ〜図２Ｂのシャーシに対して、右側から見た場合の、右のパネルに対する背面パネルのアセンブリを示す部分分解斜視図である。
【図３Ｂ】図３Ｂは、図２Ａ〜図２Ｂのシャーシに対して、左側から見た場合の、左のパネルに対する背面パネルのアセンブリを示す部分分解斜視図である。
【図４Ａ】図４Ａは、図２Ａ〜図２Ｂのシャーシに対して、底部から見た場合のバッテリ区画と共に、右パネルから左のパネルのアセンブリを示す部分分解斜視図である。
【図４Ｂ】図４Ｂは、図２Ａ〜図２Ｂのシャーシのバッテリ区画内部のバッテリ位置および移動を示す斜視図である。
【図４Ｃ】図４Ｃは、図２Ａ〜図２Ｂのシャーシのバッテリ区画内部のバッテリ位置および移動を示す斜視図である。
【図５】図５は、左パネルに取り付けられたいくつかのコンポーネントを示す、図２Ａ〜図２Ｂのシャーシの左パネルの背面の斜視図である。
【図６】図６は、図５の「Ａ」と示された領域の拡大図である。
【図７】図７は、変圧器位置を示す、図５の左パネルの背面の別の斜視図である。
【図８Ａ】図８Ａは、図５のライトパイプの拡大正面斜視図である。
【図８Ｂ】図８Ｂは、図５のライトパイプの拡大側面図である。
【図８Ｃ】図８Ｃは、図５のライトパイプの拡大背面斜視図である。
【図８Ｄ】図８Ｄは、図５のライトパイプの拡大背面図である。
【図９Ａ】図９Ａは、図２Ａ〜図２Ｂのシャーシに対して、バッテリ扉の出ている状態の後方背面図である。
【図９Ｂ】図９Ｂは、図２Ａ〜図２Ｂのシャーシに対して、バッテリ扉の入っている状態の背面斜視図である。
【図９Ｃ】図９Ｃは、図２Ａ〜図２Ｂのシャーシに対して、バッテリ扉構造の背面斜視図である。
【図１０】図１０は、上方から見た場合の図２Ａ〜図２Ｂのシャーシの右パネルの右正面斜視図である。
【図１１】図１１は、下方から見た場合の図２Ａ〜図２Ｂのシャーシの右パネルの右正面斜視図である。
【図１２】図１２は、図２Ａ〜図２Ｂのシャーシの右パネル部分の拡大斜視図である。
【図１３】図１３は、いくつかの設置されたコンポーネントを示す、図２Ａ〜図２Ｂのシャーシの背面パネルの背面図である。
【図１４】図１４は、設置されたコンポーネントがない、図２Ａ〜図２Ｂのシャーシの背面パネルの背面図である。
【図１５】図１５は、設置された種々のコンポーネントを示す、背面から切り取られた、図２Ａ〜図２Ｂのシャーシの背面パネルの左斜視図である。
【図１６】図１６は、ラインコードアセンブリの左側面図である。
【図１７Ａ】図１７Ａは、代替的な背面パネル設計の例である。
【図１７Ｂ】図１７Ｂは、代替的な背面パネル設計の例である。
【図１７Ｃ】図１７Ｃは、代替的な背面パネル設計の例である。
【図１７Ｄ】図１７Ｄは、代替的な背面パネル設計の例である。
【図１７Ｅ】図１７Ｅは、代替的な背面パネル設計の例である。
【図１７Ｆ】図１７Ｆは、代替的な背面パネル設計の例である。
【図１７Ｇ】図１７Ｇは、代替的な背面パネル設計の例である。
【図１７Ｈ】図１７Ｈは、代替的な背面パネル設計の例である。
【図１７Ｉ】図１７Ｉは、代替的な背面パネル設計の例である。
【図１７Ｊ】図１７Ｊは、代替的な背面パネル設計の例である。
【図１】
2006340598.tif 000003
【図２Ａ】
2006340598.tif 000004
【図２Ｂ】
2006340598.tif 000005
【図３Ａ】
2006340598.tif 000006
【図３Ｂ】
2006340598.tif 000007
【図４Ａ】
2006340598.tif 000008
【図４Ｂ】
2006340598.tif 000009
【図４Ｃ】
2006340598.tif 000010
【図５】
2006340598.tif 000011
【図６】
2006340598.tif 000012
【図７】
2006340598.tif 000013
【図８Ａ】
2006340598.tif 000014
【図８Ｂ】
2006340598.tif 000015
【図８Ｃ】
2006340598.tif 000016
【図８Ｄ】
2006340598.tif 000017
【図９Ａ】
2006340598.tif 000018
【図９Ｂ】
2006340598.tif 000019
【図９Ｃ】
2006340598.tif 000020
【図１０】
2006340598.tif 000021
【図１１】
2006340598.tif 000022
【図１２】
2006340598.tif 000023
【図１３】
2006340598.tif 000024
【図１４】
2006340598.tif 000025
【図１５】
2006340598.tif 000026
【図１６】
2006340598.tif 000027
【図１７Ａ】
2006340598.tif 000028
【図１７Ｂ】
2006340598.tif 000029
【図１７Ｃ】
2006340598.tif 000030
【図１７Ｄ】
2006340598.tif 000031
【図１７Ｅ】
2006340598.tif 000032
【図１７Ｆ】
2006340598.tif 000033
【図１７Ｇ】
2006340598.tif 000034
【図１７Ｈ】
2006340598.tif 000035
【図１７Ｉ】
2006340598.tif 000036
【図１７Ｊ】
2006340598.tif 000037